(57)【要約】【課題】本体部に記憶されるデータの消失を防止する。【解決手段】電気機器は、本体部と、本体部の運転を遠隔制御する制御器と、を備える電気機器であって、本体部は、データを記憶する不揮発性の本体記憶部と、制御器から運転指令を受信すると（Ｔ１１）、本体記憶部のデータを制御器に送信する本体送信部（Ｔ１７）と、本体記憶部のデータを、制御器から受信したデータを用いて更新する本体更新部（Ｔ１３）と、を含み。制御器は、不揮発性の制御側記憶部と、運転指令とともに制御側記憶部のデータを本体部に送信する制御側送信部（Ｔ５）と、制御側記憶部のデータを、本体送信部から受信したデータを用いて更新する制御側更新部（Ｔ９）と、を含む。【選択図】図４
2012105127.tif 000002
【特許請求の範囲】
【請求項１】
本体部と、前記本体部の運転を遠隔制御する制御器と、を備える電気機器であって、
前記本体部は、
データを記憶する不揮発性の本体記憶部と、
前記制御器から運転指令を受信すると、前記本体記憶部のデータを前記制御器に送信する本体送信部と、
前記本体記憶部のデータを、前記制御器から受信したデータを用いて更新する本体更新部と、を含み、
前記制御器は、
不揮発性の制御側記憶部と、
前記運転指令とともに前記制御側記憶部のデータを前記本体部に送信する制御側送信部と、
前記制御側記憶部のデータを、前記本体送信部から受信したデータを用いて更新する制御側更新部と、を含む、電気機器。
【請求項２】
前記本体記憶部のデータは、前記本体部の運転期間の長さに応じて値が増加するデータであり、
前記本体更新部は、
前記制御器から受信したデータが前記本体記憶部のデータよりも大きいとき、前記本体記憶部のデータを当該受信したデータを用いて更新し、
前記制御側更新部は、
前記本体送信部から受信したデータが前記制御側記憶部のデータよりも大きいとき、前記制御側記憶部のデータを当該受信したデータを用いて更新する、請求項１に記載の電気機器。
【請求項３】
前記本体部は、前記本体記憶部が搭載される基板を含み、
前記基板が交換されたとき、前記制御器は、前記制御側記憶部の前記データを前記本体部に送信する、請求項２に記載の電気機器。
【請求項４】
前記本体部は、当該本体部の運転に従い動作する機能部を含み、
前記運転期間の長さに応じて増加するデータは、前記機能部の動作時間の累積値を指し、
前記制御器は、前記所定機能部が交換されたとき、前記制御側記憶部のデータを初期値を用いて更新し、更新後のデータを前記本体部に送信する、請求項２または３に記載の電気機器。
【請求項５】
前記制御器は、
前記本体記憶部のデータの取得要求を送信し、
前記本体部は、前記取得要求を受信すると前記本体記憶部のデータを前記制御器に送信し、
前記制御器は、
前記取得要求を送信した後に、前記本体部から受信したデータを前記制御側記憶部に格納する、請求項１から４のいずれかに記載の電気機器。
【請求項６】
データを記憶する不揮発性の本体記憶部を有する本体部と、不揮発性の制御側記憶部を有し且つ前記本体部の運転を遠隔制御する制御器と、を備えた電気機器の制御方法であって、
前記本体部において、
前記制御器から運転指令を受信すると、前記本体記憶部のデータを前記制御器に送信するステップと、
前記本体記憶部のデータを、前記制御器から受信した前記制御側記憶部のデータを用いて更新するステップと、を含み、
前記制御器において、
前記運転指令とともに前記制御側記憶部のデータを前記本体部に送信するステップと、
前記制御器に送信するステップによって送信されたデータを受信するステップと、
前記制御側記憶部のデータを、前記受信するステップにより受信されたデータを用いて更新するステップと、を含む、電気機器の制御方法。
【発明の詳細な説明】
【技術分野】
【０００１】
この発明は、制御器と、当該制御器により遠隔制御される本体部とを備える電気機器に関し、特に、制御器と本体部との両方にデータを記憶する記憶部を含む電気機器に関する。
【背景技術】
【０００２】
近年、電気機器では、機器の使用継続時間など運転に関する履歴データを記憶しておき、機器の不調時に、または故障時には当該記憶データを解析することにより、不調原因または故障原因を診断する方法が取られている。
【０００３】
このような運転履歴データを解析できる電気機器として特許文献１の空気調和機が提案されている。この空気調和機は、本体を有し、本体はリモートコントローラにより遠隔操作される。リモートコントローラとしては、室内機と信号を送受信できる双方向リモートコントローラが利用される。室内機は制御基板を有し、運転積算時間などを制御基板の不揮発性メモリ（たとえばＥＥＰＲＯＭ（Erasable Programmable Read Only Memory）など）に記憶する。リモートコントローラにはコンピュータとの通信ポートが設けられる。リモートコントローラは、運転履歴データを本体からから受信して、それを通信ポートを介してコンピュータに転送することにより、コンピュータは運転履歴データを解析する。
【０００４】
このような解析を可能にするために、運転履歴データが消失しないようにする対策が必要とされる。その対策として、たとえば、特許文献２には、電気機器の制御基板が故障した際には、制御基板のＥＥＰＲＯＭ内に保存された運転時間などのデータを、新しい制御基板のＥＥＰＲＯＭに記憶させている。
【先行技術文献】
【特許文献】
【０００５】
【特許文献１】特開平６−３１３６１０号公報
【特許文献２】特開２００９−１９７８０号公報
【発明の概要】
【発明が解決しようとする課題】
【０００６】
しかし、特許文献１と２のいずれにおいても、制御基板上のＥＥＰＯＲＭが故障した場合、運転時間などの運転履歴データは消失してしまう可能性がある。その場合には、運転履歴データを用いた解析および診断はできなくなる。
【０００７】
それゆえに、この発明の目的は、制御器と、当該制御器により遠隔制御される本体部とを備える電気機器において、本体部に記憶されるデータの消失を防止することができる電気機器を提供することである。
【課題を解決するための手段】
【０００８】
この発明のある局面に従う電気機器は、本体部と、本体部の運転を遠隔制御する制御器と、を備える電気機器であって、本体部は、データを記憶する不揮発性の本体記憶部と、制御器から運転指令を受信すると、本体記憶部のデータを制御器に送信する本体送信部と、本体記憶部のデータを、制御器から受信したデータを用いて更新する本体更新部と、を含む。
【０００９】
制御器は、不揮発性の制御側記憶部と、運転指令とともに制御側記憶部のデータを本体部に送信する制御側送信部と、制御側記憶部のデータを、本体送信部から受信したデータを用いて更新する制御側更新部と、を含む。
【００１０】
好ましくは、本体記憶部のデータは、本体部の運転期間の長さに応じて値が増加するデータであり、本体更新部は、制御器から受信したデータが本体記憶部のデータよりも大きいとき、本体記憶部のデータを当該受信したデータを用いて更新し、制御側更新部は、本体送信部から受信したデータが制御側記憶部のデータよりも大きいとき、制御側記憶部のデータを当該受信したデータを用いて更新する。
【００１１】
好ましくは、本体部は、本体記憶部が搭載される基板を含み、基板が交換されたとき、制御器は、制御側記憶部のデータを前記本体部に送信する。
【００１２】
好ましくは、本体部は、当該本体部の運転に従い動作する機能部を含み、運転期間の長さに応じて増加するデータは、機能部の動作時間の累積値を指し、制御器は、所定機能部が交換されたとき、制御側記憶部のデータを初期値を用いて更新し、更新後のデータを本体部に送信する。
【００１３】
好ましくは、制御器は、本体記憶部のデータの取得要求を送信し、本体部は、取得要求を受信すると本体記憶部のデータを制御器に送信し、制御器は、取得要求を送信した後に、本体部から受信したデータを制御側記憶部に格納する。
【００１４】
この発明の他の局面に従うと、データを記憶する不揮発性の本体記憶部を有する本体部と、不揮発性の制御側記憶部を有し且つ本体部の運転を遠隔制御する制御器と、を備えた電気機器の制御方法は、本体部において、制御器から運転指令を受信すると、本体記憶部のデータを制御器に送信するステップと、本体記憶部のデータを、制御器から受信した制御側記憶部のデータを用いて更新するステップと、を含み、制御器において、運転指令とともに制御側記憶部のデータを本体部に送信するステップと、制御器に送信するステップによって送信されたデータを受信するステップと、制御側記憶部のデータを、受信するステップにより受信されたデータを用いて更新するステップと、を含む。
【発明の効果】
【００１５】
本発明によれば、本体部に記憶されるデータの消失を防止することができる。
【図面の簡単な説明】
【００１６】
【図１】本発明の実施の形態に係る室内機およびリモートコントローラの外観斜視図である。
【図２】本発明の実施の形態に係る室内機の機能構成図である。
【図３】本発明の実施の形態に係るリモートコントローラの機能構成図である。
【図４】本発明の実施の形態に係る通常処理の通信シーケンス図である。
【図５】本発明の実施の形態に係る基板交換時の通信シーケンス図である。
【図６】本発明の実施の形態に係るイオン発生器交換時の通信シーケンス図である。
【図７】本発明の実施の形態に係るリモートコントローラ交換時の通信シーケンス図である。
【図８】本発明の実施の形態に係る同期処理のフローチャートである。
【図９】（Ａ）〜（Ｇ）は本発明の実施の形態に係るリモコンデータフォーマットの例を示す図である。
【発明を実施するための形態】
【００１７】
本発明の実施の形態について図面を参照しながら詳細に説明する。なお、図中同一または相当部分には同一符号を付してその説明は繰返さない。
【００１８】
本実施の形態において、遠隔制御器であるリモートコントローラ（以下、リモコンと略称する）と、当該リモコンの被制御器である本体部とを備える電気機器の一例として、加湿、除湿、暖房、冷房、空気清浄などの各種運転モードを有する「空気調和機」を例示するが、これに限定されない。たとえば、リモコン操作による電動掃除機などであってもよい。
【００１９】
また、本実施の形態では“同期処理”とは、リモコンと本体部とのそれぞれに記憶されるデータが、より特定的には運転に係るデータが同じとなる、より望ましくは、最新の同じデータとなるようにするための処理を指す。
【００２０】
また、本実施の形態では、リモコンと本体部とは赤外線による無線通信をすると想定するが、有線により通信するとしてもよい。
【００２１】
図１を参照して、本実施の形態に係る空気調和機１は、本体部に相当する室内機２と、空気調和機１の運転を制御するために操作されるリモコン４を備える。空気調和機１は、室内機２と接続される図示しない室外機をさらに備える。
【００２２】
室内機２の本体カバー２ａには、リモコン４と通信するための送信部５７および受信部５８が設けられる。室内機２には、プラグ２ｂを介して図示しない商用電源から電力が供給される。
【００２３】
リモコン４は、空気調和機１の運転状態、温度など各種情報を表示するための表示部４４、ユーザによって操作されて、操作によって与えられる指示を受付けるための各種ボタンからなる操作部４１、室内機２の送信部５７および受信部５８と通信するための送信部４８および受信部４９を備える。
【００２４】
図２を参照して、室内機２は制御基板９０、および制御基板９０に接続されるセンサ部８７、室内に送風する送風機９１を駆動するための送風駆動回路８４、高圧放電によりイオンを発生する着脱自在のイオン発生装置７、室内機２の各部に対しプラグ２ｂ経由の電源を供給する電源部８８、送信部５７ならびに受信部５８を含む。センサ部８７は、温度センサ、臭いセンサ、埃センサなどからなる。イオン発生装置７により発生したイオンは、送風機９１により室内に送出される。
【００２５】
制御基板９０は、ＥＥＰＲＯＭなどの不揮発性メモリ８１、イオン発生装置７を駆動するイオン発生駆動回路８５、センサ部８７からの検出信号を入力し、いずれのセンサによる検出信号であるかを判定して出力するセンサ判定部８６、およびマイクロコンピュータからなる制御部８９を搭載する。イオン発生駆動回路８５は、制御部８９から入力する駆動信号に基づきイオン発生装置７を駆動する。
【００２６】
制御部８９は、ＣＰＵ（Central Processing Unit）９５、ＲＯＭ（Read Only Memory）およびＲＡＭ（Random Access Memory）などからなるメモリ９３、およびタイマ９７を含む。メモリ９３には、室内機２への電力供給が断たれても記憶データを保持することのできる領域において同期処理されるべきタイマデータ９６が格納される。ＣＰＵ９５は、室内機２側の同期処理部を構成するための比較部９２およびタイマ更新部９４を含む。
【００２７】
図３を参照して、リモコン４は、ＣＰＵ４３、表示部４４、ＲＯＭおよびＲＡＭなどからなるメモリ４５、操作部４１、送信部４８、受信部４９および同期処理されるべきタイマデータ４７が格納されるＥＥＰＲＯＭなどの不揮発性メモリ４６を含む。ＣＰＵ４３は、同期処理部を構成する比較部５０およびタイマ更新部５１を含む。
【００２８】
操作部４１は、室内機２の制御基板９０が交換されたとき、およびイオン発生装置７が交換されたときに操作されるリセットボタン４２が設けられる。
【００２９】
ここで、本実施の形態においては、空気調和機１の運転時にはイオン発生装置７によってイオンが生成されることに着目して、同期処理されるデータとして、イオン発生装置７の運転時間（運転された時間の累積時間）を例示するが、これに限定されず、部品交換までの残時間でもよい。また、そのデータは、使用可能時間を均等分割した、おおまかなレベルデータであってもよい。たとえば、部品交換までの使用時間を１００時間とすると、これを１０段階(１０時間刻み)のデータ処理として、７０時間使用した場合のデータやりとりは７段階目というデータを送受信する。これにより、長時間データであって分解能は荒くなるが、段階のデータとして処理することで、送受信するデータ長を短くできる。
【００３０】
また、イオン発生装置７の運転時間に代替して、空気調和機１の運転に応じて値が増加するデータとして、空気調和機１の運転時間、積算電流、積算電気代、制御部８９により制御されて動作する他の装置のＯＮ時間などであってもよい。また、空気調和機１のイオン発生装置７とは異なる他の機能部の運転の累積時間としてもよい。または、イオン発生装置７の運転時間およびこれらの値のうちの２つ以上の値について同期処理をするようにしてもよい。
【００３１】
ここで、イオン発生装置７の運転時間は、次のように測定される。つまり、ＣＰＵ９５はイオン発生駆動回路８５に出力する駆動信号に基づきイオン発生装置７の各運転時間（運転開始から終了までの時間）をタイマ９７の計時データに基づき測定する。ＣＰＵ９５は、測定した各運転時間をメモリ９３にタイマデータ９６として累積加算する。これにより、タイマデータ９６によって、イオン発生装置７の運転時間が指示される。
【００３２】
なお、イオン発生装置７本体にＥＥＰＲＯＭなどの不揮発性メモリを取付けて、当該不揮発性メモリにタイマデータ９６を記憶させてもよいが、本実施の形態では、イオン発生装置７は室内機２に着脱自在としていることから、制御基板９０に搭載されるメモリ９３に記憶するとしている。タイマデータ９６は、メモリ９３に代替して（または、メモリ９３とともに）不揮発性メモリ８１に格納されるとしてもよい。
【００３３】
図４〜図７には、リモコン４と空気調和機１（より特定的には室内機２）との間の通信シーケンスが模式的に示され、図８には通信シーケンスの過程で実行される同期処理の手順が示される。これら通信シーケンスにおいて、室内機２の送受信部５７，５８とリモコン４の送受信部４８，４９は、赤外線により双方向に通信する。つまり、送信部４８と５７は発光ダイオードなどの発光素子を含み、ＣＰＵから与えられるリモコンデータをＤ／Ａ（デジタル／アナログ）変換回路により、アナログ信号に変換し、当該アナログ信号に従う電圧信号を発光素子に印加することにより発光させる。これにより、リモコンデータに従うリモコン信号が送信される。また、受信部４９と５８はフォトトランジスタなどの光電変換素子を含み、光電変換素子はリモコン信号による受光信号を電流信号に変換する。受信部４９と５８は、電流信号をＡ／Ｄ（アナログ／デジタル）変換回路によりデジタル信号に変換して、ＣＰＵに出力する。これにより、ＣＰＵは受信したリモコン信号が表すリモコンデータを受理できる。
【００３４】
図９を参照して、本実施の形態の赤外線通信に用いるリモコンデータフォーマットについて説明する。図９の（Ａ）を参照して、リモコンデータの基本フォーマットは、リモコンデータの先頭を指すスタートビットＳＡ、スタートビット以降に続くデータ部ＤＢ、およびリモコンデータの終端を指すストップビットＳＰとを含む。スタートビットＳＡとストップビットＳＰはビット０と１からなる所定パターンのビットデータを指し、データ部ＤＢは送信するべきビット０と１からなるデータを含む。データ部ＤＢのビット０と１は、赤外線発光/消灯時間の違いによって表現される。このようなフォーマットに従って発光部が発光/消灯することにより、リモコン信号が送信される。
【００３５】
図９の（Ｂ）には、空気調和機１の運転を操作するためにユーザがリモコン４の操作部４１を操作した場合に、リモコン４から室内機２に対して送信されるリモコンデータ１１が例示される。リモコンデータ１１は、データ部ＤＢに、当該リモコン信号の識別子ＩＤ１、操作に従う運転指令ＯＰ、およびタイマデータを含む。このタイマデータは、ＣＰＵ４３が不揮発性メモリ４６から読出したタイマデータ４７を指す。
【００３６】
図９の（Ｃ）には、図９の（Ｂ）のリモコンデータに従うリモコン信号を受信した室内機２が、リモコン４に対して送信する応答のリモコンデータ１２が例示される。リモコンデータ１２は、データ部ＤＢに、当該リモコン信号の識別子ＩＤ２、運転指令ＯＰを受信した旨の応答コードＲＥＳ、およびタイマデータを含む。このタイマデータは、ＣＰＵ９５がメモリ９３から読出したタイマデータ９６を指す。
【００３７】
図９の（Ｄ）には、室内機２の制御基板９０が取り替えられた場合に、リモコン４から室内機２に対して送信されるリモコンデータ１３が例示される。リモコンデータ１３は、データ部ＤＢに、当該リモコン信号の識別子ＩＤ３、およびタイマデータを含む。このタイマデータは、ＣＰＵ４３が不揮発性メモリ４６から読出したタイマデータ４７を指す。
【００３８】
図９の（Ｅ）には、室内機２のイオン発生装置７が取り替えられた場合に、リモコン４から室内機２に対して送信されるリモコンデータ１４が例示される。リモコンデータ１４は、データ部ＤＢに、当該リモコン信号の識別子ＩＤ４、およびタイマデータを含む。このタイマデータは、ＣＰＵ４３が不揮発性メモリ４６から読出したタイマデータ４７を指す。
【００３９】
図９の（Ｆ）には、リモコン４が取り替えられた場合に、リモコン４からの要求に応じて室内機２から送信されるリモコンデータ１５が例示される。リモコンデータ１５は、データ部ＤＢに、当該リモコン信号の識別子ＩＤ５、およびタイマデータを含む。このタイマデータは、ＣＰＵ９５がメモリ９３から読出したタイマデータ９６を指す。
【００４０】
図９の（Ｇ）には、リモコン４が取り替えられた場合に、リモコン４から室内機２に対して送信されるリモコンデータ１６が例示される。リモコンデータ１６は、データ部ＤＢに、当該リモコン信号の識別子ＩＤ６、運転指令ＯＰおよびタイマデータの取得を要求するための要求コードＲＥＱを含む。
【００４１】
なお、各リモコンデータのデータ部ＤＢの残余の部分には、意味のない不定値（たとえば、all“０”）が格納される。
【００４２】
次に、上述のリモコンデータを送受信しながら同期処理を実行する手順について、図４〜７の通信シーケンスと図８のフローチャートを参照して説明する。
【００４３】
図４を参照して、空気調和機１の通常動作では、ユーザが空気調和機１の運転指示（電源ＯＮ、運転開始／停止、運転モード切り替えなど）を入力するためにリモコン４の操作部４１を操作すると、ＣＰＵ４３は、操作部４１の操作を受付ける（ステップＴ１）。ＣＰＵ４３は、操作を受付けると不揮発性メモリ４６からタイマデータ４７を読出す（ステップＴ３）。ＣＰＵ４３は、受付けた操作指示に基づく運転指令ＯＰとタイマデータ４７を用いてリモコンデータ１１を生成して、リモコンデータ１１を送信部４８に出力する。これにより、送信部４８は、リモコンデータ１１に基づくリモコン信号を室内機２に送信する（ステップＴ５）。
【００４４】
室内機２では、ＣＰＵ９５は、受信部５８を介してリモコン信号を受信する（ステップＴ１１）。ＣＰＵ９５は、受信したリモコンデータ１１の運転指令ＯＰに基づき駆動信号を生成して、イオン発生駆動回路８５および送風駆動回路８４などに出力する。この制御によりイオン発生駆動回路８５および送風駆動回路８４は、イオン発生装置７および送風機９１を駆動する。この駆動とともに、同期処理（ステップＴ１３）が実行される。その後、処理はステップＴ１１に戻る。同期処理については後述する。
【００４５】
同期処理が終了すると、ＣＰＵ９５はメモリ９３からタイマデータ９６を読出し（ステップＴ１５）、読出したタイマデータ９６を有するリモコンデータ１２を生成して、送信部５７に与える。これにより、送信部５７は、与えられたリモコンデータ１２に基づくリモコン信号を送信する（ステップＴ１７）。
【００４６】
リモコン４の受信部４９は、室内機２からリモコン信号を受信する（ステップＴ７）。ＣＰＵ４３は、受信されたリモコンデータ１２のタイマデータ９６を用いて同期処理（ステップＴ９）を実行する。その後、処理はステップＴ１に戻る。
【００４７】
（同期処理）
図８の同期処理は、室内機２およびリモコン４のそれぞれにおいて同様の処理となる。
【００４８】
室内機２においては、ＣＰＵ９５は、リモコン４から受信したリモコン信号に含まれるタイマデータ４７と、メモリ９３から読出したタイマデータ９６とを比較部９２に与える。比較部９２は、与えられる両タイマデータを比較する。比較の結果に基づき、（タイマデータ４７≧タイマデータ９６）の条件が成立するか否かを判定する（ステップＳ１）。
【００４９】
条件成立と判定すると（ステップＳ１でＹＥＳ）、タイマ更新部９４はタイマデータ４７を、メモリ９３にタイマデータ９６として格納する（ステップＳ３）。これにより、室内機２のメモリ９３に格納されるタイマデータ９６は、リモコン４の不揮発性メモリ４６のタイマデータ４７と同じになるように更新される。
【００５０】
一方、ステップＳ１の条件が成立しないと判定されると（ステップＳ１でＮＯ）、ステップＳ３の更新処理は行なわれずに、同期処理は終了する。
【００５１】
リモコン４においても、上述と同様の手順で同期処理が行なわれる。
ＣＰＵ４３は、室内機２から受信したリモコン信号に含まれるタイマデータ９６と、不揮発性メモリ４６から読出したタイマデータ４７とを比較部５０に与える。比較部５０は、与えられる両タイマデータを比較する。比較結果に基づき、（タイマデータ９６≧タイマデータ４７）の条件が成立するか否かを判定する（ステップＳ１）。
【００５２】
条件が成立すると判定すると（ステップＳ１でＹＥＳ）、タイマ更新部５１はタイマデータ９６を、不揮発性メモリ４６にタイマデータ４７として格納する（ステップＳ３）。これにより、リモコン４の不揮発性メモリ４６に格納されるタイマデータ４７は、室内機２のメモリ９３のタイマデータ９６と同じになるように更新される。
【００５３】
このように、リモコン４と室内機２との間の双方向通信機能を用いて、リモコン４から運転指令ＯＰが送信されるごとに、タイマデータの同期をとることができる。なお、タイマデータの記憶の書き換えは、上述の条件式を用いて、信号送受信ごとに双方の記憶値を比較し大きい値(イオン発生装置７の運転時間が長い方)を最新データとして同期させることができる。
【００５４】
ここで、故障などの原因で制御基板９０を交換する場合、室内機２においてタイマデータ９６が消失する。これを回避するために、図５に示すシーケンスが実行される。
【００５５】
室内機２の制御基板９０が交換が完了すると、ユーザはリモコン４の操作部４１のリセットボタン４２を１回押下する（ステップＴ２１）。ＣＰＵ４３は、操作部４１から受付けた操作指示に基づき不揮発性メモリ４６からタイマデータ４７を読出す（ステップＴ２３）。ＣＰＵ４３は、読出したタイマデータ４７を含むリモコンデータ１３を生成し、送信部４８に与える。送信部４８は、入力したリモコンデータ１５に基づくリモコン信号を送信する（ステップＴ２５）。
【００５６】
制御基板９０が交換された室内機２は、リモコン４から送信されたリモコン信号を受信する（ステップＴ２７）。ＣＰＵ９５のタイマ更新部９４は、受信したリモコン信号のリモコンデータ１３のタイマデータ４７を、交換後の制御基板９０のメモリ９３に、タイマデータ９６として格納する（ステップＴ２９）。
【００５７】
このように制御基板９０を交換した場合であっても、室内機２とリモコン４との間でタイマデータを同じにすることができる。
【００５８】
また、室内機２に設けられたイオン発生装置７が故障などして、新しいイオン発生装置７に取り替えられた場合には、タイマデータ９６と４７の値をリセット、すなわち所定値にセットする必要がある。たとえば、初期値（たとえば、０）にセットする。この場合には、図６に示すシーケンスが実行される。
【００５９】
室内機２のイオン発生装置７の交換が完了すると、ユーザはリモコン４の操作部４１のリセットボタン４２を２回押下する（ステップＴ３１）。操作部４１から受付けた操作指示に基づき、タイマ更新部５１は不揮発性メモリ４６のタイマデータ４７をリセットする（ステップＴ３３）。
【００６０】
続いて、ＣＰＵ４３は、リセット後のタイマデータ４７を含むリモコンデータ１４を生成して、送信部４８に与える。送信部４８は、与えられるリモコンデータ１４に基づくリモコン信号を生成して送信する（ステップＴ３５）。
【００６１】
室内機２は、リモコン４から送信されたリモコン信号を受信する（ステップＴ３７）。ＣＰＵ９５のタイマ更新部９４は、受信したリモコン信号のリモコンデータ１４のタイマデータ４７をメモリ９３に、タイマデータ９６として格納する（ステップＴ３９）。これにより、タイマデータ９６もリセットされる。
【００６２】
このようにイオン発生装置７を取り替えた場合であっても、室内機２とリモコン４との間でタイマデータを同じにすることができる。
【００６３】
次に、リモコン４が故障などして、新たなリモコン４に取り換えられた場合を想定する。
【００６４】
図７を参照して、新たなリモコン４が操作されて、ＣＰＵ４３は、操作部４１からの運転指示の操作を受付けると（ステップＴ４１）、ＣＰＵ４３は、受付けた操作指示に基づくタイマデータを要求するリモコンデータ１６を生成し、送信部４８に出力する。これにより、送信部４８は、リモコンデータ１６に基づくリモコン信号を室内機２に送信する（ステップＴ４３）。
【００６５】
室内機２では、受信部５８はリモコン信号を受信する（ステップＴ４９）。受信したリモコン信号に基づく、運転指令ＯＰにより各部が駆動されるとともに、ＣＰＵ９５は、要求コードＲＥＱに基づきメモリ９３からタイマデータ９６を読出す（ステップＴ５１）。ＣＰＵ９５は、読出したタイマデータ９６を含むリモコンデータ１５を生成して、送信部５７に与える。送信部５７は、リモコンデータ１５に基づくリモコン信号を生成し送信する（ステップＴ５３）。
【００６６】
リモコン４においては、空気調和機１から送信されたリモコン信号を受信する（ステップＴ４５）。ＣＰＵ４３のタイマ更新部５１は、受信したリモコンデータ１５のタイマデータ（室内機２側のタイマデータ９６を指す）を用いて、不揮発性メモリ４６のタイマデータ４７を更新する。これにより、不揮発性メモリ４６には、タイマデータ９６がタイマデータ４７として格納される。これにより、リモコン４を交換した場合であっても、新たなリモコン４と室内機２との間でタイマデータの同期をとることができる。
【００６７】
本実施の形態によれば、室内機２とリモコン４との間では、両タイマデータは通信時に同期されるので、一方のタイマデータが破壊されても、他方のタイマデータにより回復することができる。これにより、室内機２はリモコン４から受信することで回復したタイマデータに基づきフィルタの交換時期などを報知できる。
【００６８】
本実施の形態によれば、空気調和機１の運転に応じて増加するイオン発生装置７の運転時間を指すタイマデータは、値が大きいほど最新のタイマデータである。したがって、ステップＳ１の条件に基づけば、最新のタイマデータに同期させることが可能となる。なお、厳密に言えば、運転中に室内機２側のタイマデータが破壊された場合、リモコン４に残っているデータは最新とはいえないが、十分に最新に近いものと見なすことができるので、本実施の形態では最新と呼ぶことにしている。
【００６９】
また、本実施の形態では、メモリ９３および不揮発性メモリ４６のタイマデータ９６および４７は、検査のために当該メモリから読出される。読出されたタイマデータは、図示のない検査装置に有線または無線により転送されて、当該検査装置はタイマデータ９６，４７を分析のために処理し、その処理結果を外部に出力する。これにより、同期処理されるタイマデータを用いた空気調和機１の運転状態の検査が可能となる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７１】
１  空気調和機、２  室内機、４  リモコン、７  イオン発生装置、４５，９３  メモリ、４６，８１  不揮発性メモリ、４７，９６  タイマデータ、４８，５７  送信部、４９，５８  受信部、５０，９２  比較部、５１，９４  タイマ更新部、９０  制御基板、９７  タイマ。
【図１】
2012105127.tif 000003
【図２】
2012105127.tif 000004
【図３】
2012105127.tif 000005
【図４】
2012105127.tif 000006
【図５】
2012105127.tif 000007
【図６】
2012105127.tif 000008
【図７】
2012105127.tif 000009
【図８】
2012105127.tif 000010
【図９】
2012105127.tif 000011